(57)【要約】【課題】滑り止め効果が高いグリップを有し操作性に富む釣竿を提供する。【解決手段】この釣竿の元竿１のリールシート５付近の周面には、リールシート５の載置面５ａに周方向に変位する位置に１対の棒材６が配置されている。棒材６はリールシート５付近から穂先側・竿元側の一定の範囲において軸方向に延びている。釣人は、リールシート５付近において棒材６と共に元竿１を把持して、釣り操作を行う。【選択図】　　　図２
2004081069.tif 000002
【特許請求の範囲】
【請求項１】
魚釣りに用いる釣竿であって、
最も竿元側に位置する竿体と、
前記竿体の竿元側の周面に配置された軸方向に延びる棒材と
を備える釣竿。
【請求項２】
前記棒材は周方向に間隔を隔てて複数個平行して前記竿体周面に配置されている、請求項１に記載の釣竿。
【請求項３】
前記竿体の周面にはリールを脱着自在に装着するための装着部材が周方向の一部に設けられており、
前記棒材は前記装着部材が設けられた前記竿体の軸方向の一定範囲付近の周面において、前記装着部材と周方向に変位する位置に配置されている、請求項１又は２に記載の釣竿。
【請求項４】
前記棒材は前記装着部材の装着されている前記竿体の軸方向位置から竿元側に向かって延びている、請求項３に記載の釣竿。
【請求項５】
前記棒材は前記竿体の竿元側端部より竿元側方向に突出するように前記竿体周面に配置されており、前記棒材の竿元側端部には栓部材が連結されている、請求項２に記載の釣竿。
【発明の詳細な説明】
【０００１】
【発明の属する技術分野】
本発明は、魚釣りに用いる釣竿に関する。
【０００２】
【従来の技術】
従来の一般的な釣竿は、炭素繊維などの強化繊維に合成樹脂を含浸させたプリプレグ素材からなる一本の竿体から、若しくは複数の竿体を連結して構成されている。竿元側の竿体の周面にはリールを装着するためのリールシートが設けられ、ここにリールを装着する。そして、リールシート付近及び竿体の竿元側の周面を把持しながら、釣人は釣り操作を行うことになる。
【０００３】
このような釣人の釣り操作を円滑にするために、従来の釣竿の竿元側の竿体の周面にはグリップが配置されていることが多い。このグリップは、例えば、ポリウレタンやＥＶＡ等の弾性合成樹脂やコルク材等からなる略円筒型部材であって、竿体の所定の周面上に接着剤等で固定されたり、竿体に直接射出成型等されて固定されている。そのようなグリップの中でも、そのグリップ力・グリップ感を向上させるために、様々なタイプのグリップが提案されている。
【０００４】
例えば、弾性合成樹脂を利用するものとしては、内部に空間を形成した弾性体を竿体の周面に設けて、内部空間の空気量を調整してグリップ感を向上させたものがある（特開平１０−２０１４０２公報：図２，図３等参照）。また、弾性合成樹をテープの幅方向中央付近に配置し、このテープを螺旋状に竿体周面に巻回して、軸方向に凹凸を形成してグリップ力やグリップ感を向上させたものもある（特開２００２−１５３１７１号公報：図２等参照）。さらには、竿体の軸方向に延びるグリップ片を竿体周面の任意の位置に接着剤等で固定できるようにして、釣人のニーズに合わせたグリップ力を演出できるようにしたものも提案されている（特開平１１−０４６６３４号公報：図２等参照）。
【０００５】
このように、釣竿のグリップはそのグリップ力を向上させるために様々な工夫が為されてきたが、未だ十分に満足できるものではなく、さらなる改良が求められている。
【０００６】
【発明が解決しようとする課題】
本発明の課題は、釣竿の操作性を高めるべくグリップ力・グリップ感を向上させた釣竿を提供することにある。
【０００７】
【課題を解決するための手段】
発明１の釣竿は、魚釣りに用いる釣竿であって、最も竿元側に位置する竿体と、竿体の竿元側の周面に配置された軸方向に延びる棒材とを備えている。
釣人は、最も竿元側に位置する竿体をその周面に配置された棒材と共に把持して釣り操作を行う。軸方向に延びる棒材を竿体と手との間に介在させることで、竿体を把持する際の周方向の滑りを防止する。また、竿体と手との間の通気性が高まり、汗ばみ等も防止される。
【０００８】
発明２の釣竿は、発明１の釣竿であって、棒材は周方向に間隔を隔てて複数個平行して竿体周面に配置されている。
周方向に平行に複数個の棒材が配置されることで、竿体を把持する際の周方向の滑りがさらに防止される。
発明３の釣竿は、発明１又は２の釣竿であって、竿体の周面にはリールを脱着自在に装着するための装着部材が周方向の一部に設けられており、棒材は装着部材が設けられた竿体の軸方向の一定範囲付近の周面において、装着部材と周方向に変位する位置に配置されている。
【０００９】
装着部材付近の竿体周面に棒材を配置することで、リールを装着した装着部材付近を把持する際の滑り止めが図られる。
発明４の釣竿は、発明３の釣竿であって、棒材は装着部材の装着されている竿体の軸方向位置から竿元側に向かって延びている。
装着部材付近から竿元側に向かって棒材を延伸させつつ竿体周面に配置することで、これらの部分を把持する際の滑り止めが図られる。
【００１０】
発明５の釣竿は、発明２の釣竿であって、棒材は竿体の竿元側端部より竿元側方向に突出するように竿体周面に配置されており、棒材の竿元側端部には栓部材が連結されている。
この釣竿では、竿体の竿元側端部を釣人が把持すると共に、竿体の竿元側方向に突出する棒材を、例えば、釣人が脇に挟み、若しくは棒材の竿元側端部の栓部材を腹部に当てながら釣り操作を行う。棒材を脇に挟み込む場合は、複数の棒材の間に脇がフィットして操作性が向上する。また、通気性にも優れる。
【００１１】
【発明の実施の形態】
［第１実施形態］
以下、本発明の一実施形態について、図面を参照しつつ説明する。
本発明の一実施形態を採用した釣竿は、図１に示すように、元竿１と、その穂先側に順次連結された元上竿２，中竿３，穂先竿４とを有している。各竿体は、それぞれ炭素繊維等の強化繊維に合成樹脂を含浸させたプリプレグ材から構成された先細り筒状部材である。これらの竿体はいわゆる並継形式で連結されており、各竿体の穂先側端部・竿元側端部には竿体相互を連結するための嵌合部分が形成されている。
【００１２】
元竿１は、リール（図示せず）を脱着自在に装着可能なリールシート５と、元竿１のリールシート５が設けられている付近の周面に配置されている一対の棒材６と（図２参照）と、竿元側端部に脱着自在に装着される尻栓７とを有している。また、元上竿２〜穂先竿４の周面には軸方向に間隔を隔てて複数の釣糸ガイド８が取り付けられており、穂先竿４の穂先側端部にはトップガイド９が取り付けられる。そして、リールをリールシート５に装着した上で、リールからの釣糸を順次各釣糸ガイド８に挿通させて穂先側に導き、トップガイド９から釣糸を穂先側に導出することになる。
【００１３】
図２に示すように、元竿１の軸方向中央付近の周面に設けられたリールシート５は、元竿１の本体部（管状部分）の周面に一体的に形成された略パイプ状の部材である。このリールシート５は元竿の管状部分の周面に配置され接着剤で接着などされた上で表面塗装されている。リールシート５は、詳しくは、リールのリール脚を載置するための載置面５ａ、載置面５ａの穂先側の固定フード５ｂ、載置面５ａの竿元側に位置し軸方向に滑動可能な移動フード５ｃ、及び移動フード５ｃを任意の場所に固定するための固定機構５ｄとからなる。リール脚を載置面５ａに載置した上で、リール脚の一端を固定フード５ｂに係止し、移動フード５ｃを穂先側に移動させてリール脚の他端を挟み込み、固定機構５ｄで移動フード５ｃを固定する。
【００１４】
このリールシート５のリール載置面５ａと周方向に変位する元竿１の周面に、軸方向に延びる１対の棒材６が配置される。棒材６は、詳しくはリール載置面５ａと周方向にそれぞれ１２０度程度変位する周方向位置に、また、リールシート５から穂先側及び竿元側に幾分突出するような軸方向範囲に配置される。そして、軸方向両端において、巻糸を元竿１と棒材６とを共に巻回することで、棒材６の周面に固定されている。この巻糸は巻回後その周面に樹脂コーティングを施してもよい。また、この棒材６は、チタン合金などの金属若しくは炭素繊維強化樹脂からなる中実のソリッド材からなる。その径はφ３〜１０ｍｍ程度のものを用いるのが好ましい。
【００１５】
このように構成された釣竿において、釣人は、リール脚を指の間に挟み込みながら、元竿１のリールシート５付近を把持して釣り操作を行う。この際、元竿１の所定の周面に配置された棒材６と共に元竿１を把持することになる。軸方向に延びる１対の棒材６を元竿１の筒状の本体部と手との間に介在させることで、元竿１を把持する際の周方向の滑りが防止される。また、元竿１と手との間の通気性が高まり、汗ばみ等も防止されることになる。
【００１６】
［第２実施形態］
上記第１実施形態の変形例を示す。
図４及び図５に示すように、本実施形態を採用する元竿１の軸方向中央付近の周面にもリールシート５が配置されている。このリールシート５のリール載置面５ａと周方向に変位する元竿１の周面には、第１実施形態と同様に、軸方向に延びる１対の棒材１１が配置される（図５参照）。この１対の棒材１１は、リール載置面５ａと周方向にそれぞれ１２０度程度変位する周方向位置に、また、リールシート５から竿元側に向かって元竿１の竿元側端部まで延びている。一方、リールシート５の竿元側の周面からは、別の棒材１２が竿元側端部に向かって配置されている。この棒材１２はリールシート５の載置面５ａのある周方向位置に配置されている。
【００１７】
これらの棒材１１及び棒材１２は、リールシート５の竿元側付近と竿元側端部付近とにおいて、上記第１実施形態と同様に巻糸で巻回されることで元竿１に固定されている。棒材１１，１２として金属若しくは所定のソリッド材を用い得る点も上記第１実施形態と同様である。
なお、棒材に、図６に示すように、周方向の一部を平面化乃至元竿１の周面湾曲に合わせて湾曲化させた当接面を形成してもよい。当接面は棒材の軸方向全体にわたって形成することになる。
【００１８】
このような釣竿も、上記第１実施形態と同様の作用効果を奏する。また、元竿１の竿元側端部を把持する場合においても、滑り止めや汗ばみを防止できる。
［第３実施形態］
本発明の第３実施形態を説明する。
本発明の第３実施形態を採用した釣竿の元竿１の竿元側端部の周面には、図７に示すように、３本の棒材２１が周方向に等しく間隔を隔てて配置されている。この棒材２１は、元竿１の竿元側端部から１００ｍｍ程度の範囲において元竿１の周面に配置されると共に元竿１の竿元側端部から竿元側に１５０ｍｍ程度突出している。そして、３本の棒材２１の竿元側端部に栓２２が装着されている。
【００１９】
この棒材２１は上記各実施形態と同様の物を用いることができる。また、栓２２は、ウレタンゴム等の弾性体若しくは硬質合成樹脂・金属より形成される栓体である。栓２２の底面には滑り止め用のゴム材を別途装着してもよい。
この釣竿では、元竿１の竿元側端部を釣人が把持すると共に、元竿１の竿元側方向に突出する棒材２１を、例えば、釣人が脇に挟み、若しくは棒材２１の竿元側端部の栓２２を腹部に当てながら釣り操作を行う。棒材２２を脇に挟み込む場合は、複数の棒材２２の間に脇がフィットして操作性が向上する。また、通気性も向上する。
【００２０】
［他の実施形態］
（ａ）棒材の配置する位置は、上記実施形態に示すような箇所に限定されるものではない。複数の棒材を軸方向に間隔を隔てて配置することも可能である。
（ｂ）上記実施形態では、元竿の周面に棒材を配置する場合を示しているが、元竿の軸方向長さが比較的短く、元上竿の周面をも把持して釣り操作を行うような釣竿においては、元上竿の周面に棒材を配置してもよい。
（ｃ）棒材の竿体への装着方法としては、図８にしめすように、竿体の周面に軸方向に凹溝を形成し、ここに棒材の一部を収納した状態で、竿体の周面に棒材を配置してもよい。
【００２１】
【発明の効果】
本発明に係る釣竿は、グリップ力・グリップ感に優れ操作性に富む。
【図面の簡単な説明】
【図１】本発明の第１実施形態を採用した釣竿の全体図。
【図２】図１の釣竿のリールシート５付近の拡大図。
【図３】図２のＩＩＩ−ＩＩＩ断面図。
【図４】本発明の第２実施形態を採用した釣竿の図２に相当する図。
【図５】図４のＶ−Ｖ断面図。
【図６】本発明の第２実施形態の変形例を示した図。
【図７】本発明の第３実施形態を採用した釣竿の竿元側端部の拡大図。
【図８】本発明の他の実施形態を示した図。
【符号の説明】
１　元竿
５　リールシート
６，１１，１２，２１　棒材
【図１】
2004081069.tif 000003
【図２】
2004081069.tif 000004
【図３】
2004081069.tif 000005
【図４】
2004081069.tif 000006
【図５】
2004081069.tif 000007
【図６】
2004081069.tif 000008
【図７】
2004081069.tif 000009
【図８】
2004081069.tif 000010